(57)【要約】【課題】照明装置にかかる作業効率を高めること。【解決手段】実施形態にかかる監視装置は、比較部と、表示制御部とを具備する。比較部は、照明機器が設置される懸架器具を撮影した撮影画像に基づく照明機器に関する情報と、予め設定された照明機器に関する情報とを比較する。表示制御部は、比較部による比較結果を所定の表示装置に表示させる。【選択図】図２
2018055848.tif 000002
【特許請求の範囲】
【請求項１】
照明機器が設置される懸架器具を撮影した撮影画像に基づく照明機器に関する情報と、予め設定された照明機器に関する情報とを比較する比較部と；
前記比較部による比較結果を所定の表示装置に表示させる表示制御部と；
を具備することを特徴とする監視装置。
【請求項２】
前記表示制御部は、前記比較結果として、予め設定された照明機器に関する情報に対して一致しない旨を示すコンテンツを表示させる
ことを特徴とする請求項１に記載の監視装置。
【請求項３】
前記表示制御部は、前記比較結果として、前記懸架器具に対して設置させる照明機器に関する情報を表示させる
ことを特徴とする請求項１または２に記載の監視装置。
【請求項４】
前記表示制御部は、前記懸架器具が有する取付口ぞれぞれに接続させる照明機器に関する情報を表示させる
ことを特徴とする請求項３に記載の監視装置。
【請求項５】
前記表示制御部は、前記懸架器具とともに撮影された照明機器から受信した情報に基づいて、前記懸架器具に対して設置させる照明機器に関する情報を表示させる
ことを特徴とする請求項１〜４のいずれか１つに記載の監視装置。
【請求項６】
前記比較部は、照明機器が設置される懸架器具を撮影した撮影画像に基づく照明機器に関する情報と、予め指定された照明機器に関する情報との比較結果に基づいて、前記懸架器具に対して照明機器が所定のルールに従って設置されているか否かを判定し、
前記表示制御部は、前記所定のルールに従って設置されていないと判定された場合には、前記所定のルールに対応する比較結果を表示させる
ことを特徴とする請求項１〜５のいずれか１つに記載の監視装置。
【請求項７】
照明機器が設置される懸架器具を撮影した撮影画像に基づく照明機器に関する情報と、予め設定された照明機器に関する情報とを比較する比較部と；
前記比較部による比較結果を所定の表示装置に表示させる表示制御部と；
を具備することを特徴とする照明システム。
【発明の詳細な説明】
【技術分野】
【０００１】
本発明は、監視装置および照明システムに関する。
【背景技術】
【０００２】
近年、ＬＥＤ照明機器やムービングライト等において、ＲＤＭ（Remote  Device  Management）という演出空間専用の双方向通信が普及し始めている。ＲＤＭは、ＥＳＴＡ（Entertainment  Services  and  Technology  Association）で正式に定義されるプロトコルである（ＡＮＳＩ/ＥＳＴＡ  １．２０  Entertainment  Technology  -  Remote  Device  Management）。また、ＲＤＭは、演出空間照明で使用されているＤＭＸ５１２信号のラインを使用して双方向の通信を確立するオープンなプロトコルである。そして、ＲＤＭの普及に伴い、ＲＤＭ対応の照明機器の種類や使用が増加している。
【０００３】
ここで、照明機器は、例えば、テレビスタジオや劇場等において照明機器等を吊るために用いられる懸架器具であるバトンに設置される。このような場合、照明機器の設置作業は、どのバトンのどの位置にどの照明機器を設置するかといったことが記載された仕込み図を参照しながら手作業によって行われる。また、ＲＤＭ信号対応の照明機器を設置する場合には、仕込み図を参照しながら、各照明機器の機器番号やモードを手作業で設定する場合がある。
【先行技術文献】
【特許文献】
【０００４】
【特許文献１】特開２０１４−１２０３５１号公報
【発明の概要】
【発明が解決しようとする課題】
【０００５】
上記のように、手作業によって照明機器をバトンに設置する場合、作業者は誤った位置に照明機器を設置しないように何度も仕込み図を確認する必要があるため、作業の効率が悪くなっている。また、機器番号やモードを設定する必要がある場合には、このような設定にも誤りが生じる場合があり、作業の効率はさらに悪くなる。
【０００６】
本発明が解決しようとする課題は、照明装置にかかる作業効率を高めることができる監視装置を提供することである。
【課題を解決するための手段】
【０００７】
実施形態の一例にかかる監視装置は、照明機器が設置される懸架器具を撮影した撮影画像に基づく照明機器に関する情報と、予め設定された照明機器に関する情報とを比較する比較部と、前記比較部による比較結果を所定の表示装置に表示させる表示制御部とを具備することを特徴とする。
【発明の効果】
【０００８】
実施形態の一態様によれば、照明装置にかかる作業効率を高めることができるといった効果を奏する。
【図面の簡単な説明】
【０００９】
【図１】図１は、実施形態にかかる監視装置の一例を示す図である。
【図２】図２は、実施形態にかかる監視装置の構成例を示す図である。
【図３】図３は、実施形態にかかる機器情報記憶部の一例を示す図である。
【図４】図４は、実施形態にかかる監視装置によって行われる表示制御処理の一例を示す図である。
【図５】図５は、実施形態にかかる監視装置を含む照明システムによる表示制御処理手順をフローチャートである。
【発明を実施するための形態】
【００１０】
以下、図面を参照して、実施形態にかかる監視装置を説明する。実施形態において同一の機能を有する構成には同一の符号を付し、重複する説明は省略する。なお、以下の実施形態で説明する監視装置および照明システムは、一例を示すに過ぎず、実施形態を限定するものではない。また、以下の実施形態は、矛盾しない範囲内で適宜組みあわせてもよい。
【００１１】
以下の実施形態にかかる監視装置１００は、比較部１３３と、表示制御部１３４とを具備する。比較部１３３は、照明機器が設置される懸架器具を撮影した撮影画像に基づく照明機器に関する情報と、予め設定された照明機器に関する情報とを比較する。表示制御部１３４は、比較部による比較結果を所定の表示装置に表示させる。
【００１２】
また、以下の実施形態にかかる監視装置１００では、表示制御部１３４は、比較結果として、予め設定された照明機器に関する情報に対して一致しない旨を示すコンテンツを表示させる。
【００１３】
また、以下の実施形態にかかる監視装置１００では、表示制御部１３４は、比較結果として、懸架器具に対して設置させる照明機器に関する情報を表示させる。
【００１４】
また、以下の実施形態にかかる監視装置１００では、表示制御部１３４は、懸架器具が有する取付口それぞれに接続させる照明機器に関する情報を表示させる。
【００１５】
また、以下の実施形態にかかる監視装置１００では、表示制御部１３４は、懸架器具とともに撮影された照明機器から受信した情報に基づいて、懸架器具に対して設置させる照明機器に関する情報を表示させる。
【００１６】
また、以下の実施形態にかかる監視装置１００では、比較部１３３は、照明機器が設置される懸架器具を撮影した撮影画像に基づく照明機器に関する情報と、予め指定された照明機器に関する情報との比較結果に基づいて、懸架器具に対して照明機器が所定のルールに従って設置されているか否かを判定する。そして、表示制御部１３４は、所定のルールに従って設置されていないと判定された場合には、所定のルールに対応する比較結果を表示させる。
【００１７】
［実施形態］
〔表示制御処理の一例〕
以下、監視装置の一例として、照明システム１が有する監視装置１００について一例を用いて説明する。図１は、実施形態にかかる監視装置１００の一例を示す図である。図１に示す例では、照明システム１は、複数の照明機器１０（図１では、照明機器１０ａ、１０ｂ、１０ｄとして示す。個々を区別する必要のない場合、「照明機器１０」と総称する）、複数のＲＤＭノード２０（図１では、ＲＤＭノード２０−１〜ＲＤＭノード２０−ｎとして示す。個々を区別する必要のない場合、「ＲＤＭノード２０」と総称する）、ハブ３０、制御卓４０、監視装置１００を有する。なお、照明システム１に含まれる照明機器１０およびＲＤＭノード２０の種別や数などは、任意に変更可能である。
【００１８】
照明システム１において、照明機器１０は、ＤＭＸを拡張したＲＤＭ（Remote  Device  Management）規格に沿った通信方式により、ＲＤＭノード２０や監視装置１００と双方向通信が可能な照明機器である。つまり、実施形態にかかる照明装置１０は、ＲＤＭ規格対応の照明装置である。
【００１９】
本実施形態では、ＲＤＭ規格に沿って説明するが、双方向通信の可能なシステム（例えば、ＥＳＴＡ（Entertainment  Services  and  Technology  Association）がＤＭＸに変わるイーサネット（登録商標）用の規格として規定したＡＣＮ（Architecture  for  Control  Networks）やｓＡＣＮ（streamingACN））であれば良い。
【００２０】
また、照明機器１０は、ＬＥＤ（Light  Emitting  Diodes）等の半導体発光素子を有するものや、モータを搭載したもの等があり、制御信号に従って、明るさ、範囲、色彩、角度等を変化させることで、スタジオや舞台等の照明演出を行う。照明機器１０は、スタジオや舞台等の任意の空間に設置される設備であって、照明機器を吊り下げる懸架器具であるバトンに設置される。図１の例では、バトンＬ−１には、照明機器１０ａ、１０ｂ、１０ｄが設置されることを示している。
【００２１】
ＲＤＭノード２０は、ＤＭＸを拡張したＲＤＭ規格に沿った通信方式により、照明機器１０や監視装置１００と双方向通信が可能な制御情報を分配する分配器である。具体的には、ＲＤＭノード２０は、イーサネット等の有線または無線によるネットワークによって、双方向通信が可能な態様でハブ３０と接続され、ハブ３０を介して、監視装置１００等と通信する。
【００２２】
また、図１の例において、ＲＤＭノード２０は、照明機器１０と同様、バトンに設置される。図１の例では、バトンＬ−１には、ＲＤＭノード２０−１が設置され、バトンＬ−２には、ＲＤＭノード２０−２が設置され、バトンＬ−ｎには、ＲＤＭノード２０−ｎが設置される。また、ＲＤＭノード２０は、監視装置１００からの指示により、自身が設置されるバトンに関する情報と、自身に接続されている照明機器１０の情報を取得し監視装置１００に返信する。尚、バトンに関する情報は、ＲＤＭノードが固定であれば、予め監視装置１００に記憶させておいても良い。
【００２３】
また、ＲＤＭノード２０は、複数のポートを有する。図１の例では、ＲＤＭノード２０−１が、ポート２０ａ〜２０ｄを有することを示す。各ポート２０ａ〜２０ｄは、それぞれを識別するためのポートＩＤが付与されたポートであり、例えば、ＲＤＭ規格に従って照明機器１０と信号を送受信するための接続端子（コネクタ）である。
【００２４】
また、図１の例では、バトンＬ−１における各ポート２０ａ〜２０ｄそれぞれの位置が、位置Ｐ１１〜位置Ｐ１４である例を示す。本実施形態では、各ポート２０ａ〜２０ｄそれぞれの位置を概念的な記号で示しているが、実際には、例えば、ポート２０ａであれば「特定の方向」からバトンＬ−１を見た場合における位置、例えば「最左端」といった形で示される。また、ポート２０ｂであれば特定の方向からバトンＬ−１を見た場合における位置、例えば「左から２番目」といった形で示される。
【００２５】
なお、このようなバトンに対する各ポートの位置の示し方は一例に過ぎず、任意の表記が用いられてよい。例えば、各ポートの位置は、バトンに対する座標によって示されてもよい。また、各バトンには所定の箇所に当該バトンを識別可能な識別情報（例えば、識別番号や名称等）が記載されており、このような識別情報を視認可能な方向（例えば、バトンに対して正面）が「特定の方向」に対応する。
【００２６】
以上のことをまとめると、図１の例では、バトンＬ−１の設置されるＲＤＭノード２０−１について、現在、位置Ｐ１１に存在するポート２０ａには照明機器１０ａが接続され、位置Ｐ１２に存在するポート２０ｂには照明機器１０ｂが接続され、位置Ｐ１３に存在するポート２０ｃには照明機器１０が接続されておらず、位置Ｐ１４に存在するポート２０ｄには照明機器１０ｄが接続される。
【００２７】
ここで、ＲＤＭノード２０によって行われる制御処理について説明する。ＲＤＭノード２０は、各ポート（例えば、ポート２０ａ〜２０ｄ）に接続された照明機器１０に対して後述する制御卓４０の指示によりＲＤＭの機能を使い制御アドレスを設定する。例えば、ＲＤＭノード２０は、制御卓４０から各ポートに設置される照明機器１０に新たに割り当てる制御アドレスに関する情報を受信した場合、かかる情報に従って、照明機器１０に新たに割り当てる制御アドレスを設定する。そして、ＲＤＭノード２０は、新たに割り当てた制御アドレスと、照明機器１０が接続されたポートのポートＩＤとを対応付けて一時的に記憶する。
【００２８】
ＲＤＭノード２０は、監視装置１００からの指示によりポートに接続された照明機器１０に関する情報を取得する。例えば、ＲＤＭノード２０は、各ポート２０ａ〜２０ｄから照明機器情報の読出し要求を出力する。そして、ＲＤＭノード２０は、照明機器１０からの応答として照明機器情報を受信した場合には、照明機器情報を受信したポートのポートＩＤと、新たに割り当てた制御アドレスとを対応付けて一時的に記憶する。
【００２９】
また、ＲＤＭノード２０は、照明機器情報を取得すると、取得した照明機器情報とともに、各装置を識別する識別情報を後述する監視装置１００へ送信し、監視装置１００は、ＲＤＭノードから受信した情報を記憶する。具体的には、ＲＤＭノード２０は、バトンＩＤ、照明機器ＩＤと、ポートＩＤと、自装置のＩＤすなわちノードＩＤとを対応付けて、照明機器情報とともに後述する監視装置１００へ送信する。この点について図１の例を用いて説明する。なお、本実施形態では、説明を簡単にするために、バトン、ＲＤＭノード、ポート、照明機器それぞれに付される符号がこれら各装置の識別情報（ＩＤ）に対応するものとする。
【００３０】
例えば、バトンＬ−１に設置されるＲＤＭノード２０−１のポート２０ａに照明機器１０ａが接続されたとする。かかる場合、監視装置１００からの指示によりＲＤＭノード２０−１は、ポート２０ａから、ポートＩＤ「２０ａ」および照明機器ＩＤ「１０ａ」を取得する。そして、ＲＤＭノード２０−１は、バトンＩＤ「Ｌ−１」、ポートＩＤ「２０ａ」、照明機器ＩＤ「１０ａ」および自装置のＩＤ（ノードＩＤ）「２０−１」を監視装置１００に送信する。また、ＲＤＭノード２０−１は、これらのＩＤとともに照明機器１０ａに関する照明機器情報も送信する。かかる照明機器情報は、例えば、照明機器１０ａの通電時間、点灯時間、現在の明るさを数値化した情報（例えば、輝度）、照明の色調、消費電力、故障情報等である。また、ＲＤＭノード２０−１は、同様の処理をポート２０ｂ、２０ｃ、２０ｄについても行う。ＲＤＭノード２０−２およびＲＤＭノード２０−ｎについても同様である。
【００３１】
ハブ３０は、イーサネット等の有線または無線によるネットワークによって、制御卓４０と双方向通信が可能な態様で接続され、制御卓４０と各ＲＤＭノード２０との通信を中継する中継器である。
【００３２】
また、不図示であるが照明システム１には、照明機器１０に電力を供給する電源装置が含まれる。かかる電源装置は、例えば、電圧変換の機能、ブレーカー、過負荷や漏電等の検知機能、ＵＰＳ（Uninterruptible  Power  Supply）等の機能を有する。
【００３３】
制御卓４０は、双方向性を有する制御情報（例えば、ＲＤＭ規格に対応する）を照明機器１０との間で通信可能な制御装置である。制御卓４０は、ユーザ（例えば、制御卓４０を操作するオペレータ）から照明機器１０に対する操作指令を受付けると、照明機器１０に付与された制御アドレスを含む制御情報を生成し、ハブ３０を介してＲＤＭノード２０に制御情報を送信する。この場合、ＲＤＭノード２０は、制御情報をＲＤＭ規格に沿った制御信号（例えば、ＤＭＸ信号等）に変換し、制御アドレスが示す照明機器１０に対して制御信号を出力する。これにより、照明機器１０の制御が行われる。このように、照明装置１００は、ＲＤＭ規格対応の制御情報に含まれる制御アドレスを用いて、各照明機器１０を遠隔制御する。
【００３４】
監視装置１００は、バトンに対する照明機器１０の設置状況を監視する。例えば、監視装置１００は、照明機器１０がＲＤＭ規格に対応していることにより、上記のようにＲＤＭノード２０から各装置（バトン、ポート、照明機器、ノード）のＩＤを受信することで、どのバトンにどの照明機器１０が設置されているかといったことを監視する。
【００３５】
また、各ＲＤＭノード２０が有するポートへの照明機器１０の接続は、作業員によって手作業で行われる。このような手作業が行われるために、どのバトンのどの位置にどの照明機器１０を設置するかといったことが設定され図面に起こされた仕込み図が予め用意される。したがって、作業員は、誤った位置に照明機器を設置しないように何度もこの仕込み図を参照しながら照明機器１０の接続を行う。かかる場合、作業員は何度も仕込み図を確認する必要があるため時間がかかり、結果として作業効率の低下につながる。
【００３６】
また、膨大な数の照明機器１０を設置するため、仕込み図と間違った位置に設置しても気が付かない場合がある。このような状況において、例えば、照明機器１０を設置済みのバトンを上昇させ、舞台に舞台セットを組んだ後に設置位置が間違っていることに気が付いたとする。かかる場合、１度、舞台セットを移動、または、解体しバトンを降ろして設置位置を修正するか、危険を冒して高い脚立に登り設置位置を修正することとなり、大幅な作業効率の低下となる。
【００３７】
そこで、実施形態にかかる監視装置１００は、照明機器１０が設置されるバトンを撮影した撮影画像に基づく照明機器１０に関する情報と、予め設定された照明機器１０に関する情報とを比較する。そして、監視装置１００は、比較した比較結果を所定の表示装置に表示させる。以下では、このような監視装置１００による表示制御処理について具体的に説明する。
【００３８】
まず、作業員は、これから照明機器１０を設置しようとする作業対象のバトンをカメラ機能が搭載された端末装置を用いて撮影する（ステップＳ１）。なお、以下では、バトンへの照明機器１０の設置と、ＲＤＭノード２０が有するポートへの照明機器１０の接続とは、ともに同義であるものとして扱う場合がある。
【００３９】
カメラ機能が搭載された端末装置は、図１に示すウェアラブルグラスであるものとする。しかし、かかる端末装置は、ウェアラブルグラスに限定されるものではなく、カメラ機能、表示機能、イーサネットを利用した通信機能を有する端末装置であれば如何なるものであってもよい。例えば、かかる端末装置は、スマートフォンや、タブレット型端末や、ノート型ＰＣ（Personal  Computer）や、デスクトップＰＣや、携帯電話機や、ＰＤＡ（Personal  Digital  Assistant）等であってよい。
【００４０】
そして、図１の例は、作業員が、ウェアラブルグラスＧＬを用いて、バトンＬ−１に設置される照明機器１０ａ、１０ｂ、１０ｄが全て入るように、バトンＬ−１全体を撮影したことを示す。例えば、作業員は、ウェアラブルグラスＧＬを装着した状態、すなわちウェアラブルグラスＧＬを介してバトンＬ−１を実際に目視しながら上記のような撮影を行う。
【００４１】
また、図１では、このようにして撮影された画像が撮影画像Ｇ１である例を示す。ここで、撮影する際のポイントについて説明する。１つは、作業対象となるバトンの全体、および、かかるバトンに設置される照明機器１０の全てが撮影画像に収まるように撮影することである。もう一つは、各バトンには、所定箇所にそのバトンを識別可能な識別情報（例えば、名称や記号、ＱＲコード（登録商標）等）が予め記載されている場合があるため、このような場合、作業員は、その識別情報が撮影画像に収まるような方向から撮影を行う。このような方向は、例えば、作業対象のバトンに対して正面方向である。不図示であるが、図１の例では、作業員は、バトンＬ−１表面に記載された識別文字「Ｌ−１」が入るように撮影したものとする。
【００４２】
次に、ウェアラブルグラスＧＬは、作業員の操作に従って撮影した撮影画像Ｇ１を監視装置１００に送信する（ステップＳ２）。監視装置１００は、ウェアラブルグラスＧＬから撮影画像Ｇ１を受信すると、撮影画像Ｇ１の画像解析を行う（ステップＳ３）。例えば、監視装置１００は、撮影画像Ｇ１を画像解析することにより、撮影されているバトンＬ−１において、照明機器１０に関する情報としてバトンＬ−１の識別情報と、どのような位置に照明機器１０が設置されているかを特定する。具体的には、監視装置１００は、撮影画像Ｇ１を画像解析することにより、バトンの識別情報を特定するとともに、バトンにおける照明機器１０の設置位置を特定する。このとき、監視装置１００は、バトンＬ−１におけるポートの位置も把握できるため、ＲＤＭノード２０−１において、どの位置にあるポートに照明機器１０が接続されているかを特定してもよい。つまり、監視装置１００は、ポートの近くに設置された照明機器１０をそのポートに接続された照明機器として認識するようにしてもよい。
【００４３】
図１の例では、監視装置１００は、画像解析により、ステップＳ１において撮影されたバトンがバトンＬ−１であることを特定するとともに、位置Ｐ１１、位置Ｐ１２および位置Ｐ１４にあるポートに照明機器１０が接続されていることを特定する。例えば、監視装置１００は、位置Ｐ１１として「最左端」、位置Ｐ１２として「左２（右から２番目）」、位置Ｐ１４として「最右端」といったように位置方向で特定してもよい。また、監視装置１００は、位置Ｐ１１として「Ｘ１」、位置１２として「Ｘ２」、位置Ｐ１４として「Ｘ４」といったように座標方向で特定してもよい。
【００４４】
また、監視装置１００は、画像解析により照明機器１０に関する情報として、バトンに設置される照明機器１０の種別や、固有の識別情報、設置方向も特定可能である。例えば、監視装置１００は、バトンＬ−１に設置される照明機器１０がスポットライト、ホリゾントライト、あるいは、フラッドライトであるのか等の照明機器の種別や設置方向について照明機器１０の外観を解析することで特定することが可能である。
【００４５】
また、照明機器１０に設置されたＱＲコード等の識別情報を撮像することによって、監視装置１００は、照明機器１０固有の識別情報または任意に設定したアドレス等の照明機器ＩＤを取得してもよい。この場合には、監視装置１００は、照明機器１０の種別や設置方向だけでなく照明器具１０を１台づつ特定することができる。
【００４６】
次に、監視装置１００は、画像解析により特定した位置情報であって照明機器１０に関する位置情報と、予め設定された照明機器１０に関する情報とを比較する（ステップＳ４）。ここで、監視装置１００は、機器情報記憶部１２０を有する。機器情報記憶部１２０には、どのバトンのどの位置にどの照明機器１０を設置するかといったことが予め設定された図面である仕込み図が数値化および記号化された状態で記憶される。なお、数値化および記号化された仕込み図を「仕込み図データ」と表記する場合がある。
【００４７】
図１に示す機器情報記憶部１２０は、仕込み図においてバトン「Ｌ−１」には、ＲＤＭノード「２０−１」が設置され、バトン「Ｌ−１」におけるポートの位置が位置Ｐ１１、位置Ｐ１２、位置Ｐ１３、位置Ｐ１４であり、設置する照明機器１０の種類がスポットライトといったことが予め仕込み図に記載されていることを示す。なお、さらに、機器情報記憶部１２０は仕込み図データとして各照明機器１０の識別情報である照明機器ＩＤを記憶するようにしてもよい。
【００４８】
したがって、監視装置１００は、撮影画像Ｇ１に基づく照明機器１０に関する情報として画像解析により特定した位置情報であって照明機器１０が接続されるポートの位置情報と、予め設定された照明機器１０に関する情報として仕込み図由来のバトンＬ−１におけるポートの位置情報とを比較する。そして、このような比較により監視装置１００は、一致しない箇所を特定する。
【００４９】
図１の例では、監視装置１００は、比較処理により、位置Ｐ１３での一致が得られないことを特定する。具体的には、監視装置１００は、「仕込み図データ」側にはバトンＬ−１における位置Ｐ１３のポートに照明機器１０（スポットライト）を接続するよう指定されているのに対して、実際には位置Ｐ１３にあるポートへ照明機器１０（スポットライト）が接続されていないことを特定する。
【００５０】
このように比較処理において一致が得られない点が存在することは、照明機器１０の接続に誤りがある、あるいは、照明機器１０が接続されていないことを示す。したがって、監視装置１００は、仕込み図データに基づく照明機器１０の正しい設置態様を、ウェアラブルグラスＧＬを介して作業員が確認可能なように表示制御する。
【００５１】
具体的には、監視装置１００は、位置Ｐ１３にあるポートへ照明機器１０（スポットライト）が接続されていないことを特定したことにより、位置Ｐ１３にあるポートへ照明機器１０を接続するよう認識させるアニメーション画像Ｇ２を生成する。そして、監視装置１００は、生成したアニメーション画像Ｇ２を比較結果としてウェアラブルグラスＧＬに送信する（ステップＳ５）。これにより、監視装置１００は、現在、作業員がウェアラブルグラスＧＬを介して視認している現実のバトンＬ−１における位置Ｐ１３へ、スポットライトを接続するよう指示するような態様でアニメーション画像Ｇ２を表示させる（ステップＳ６）。
【００５２】
これにより作業員は、仕込み図を何度も確認することなく、作業対象のバトンに対してこれからどのように照明機器１０を設置すべきか、あるいは、既に設置済みの照明機器１０の位置に誤りがないかといったことを一目で確認できるようになる。このため、実施形態にかかる監視装置１００は、作業員が容易に、かつ、正確に照明機器１０の設置作業を行えるようにすることができるため、照明装置１０の設置にかかる作業効率を高めることができる。
【００５３】
なお、図１の例では、監視装置１００が、作業員が現実に目視しているバトンおよび照明機器１０に対して、誤り対象あるいは接続対象となる照明機器１０をアニメーション表示させる例を示したが、アニメーション表示はこれに限定されるものではない。例えば、監視装置１００は、作業対象のバトンや照明機器１０の全てをアニメーション表示させてもよい。
【００５４】
〔監視装置の構成〕
次に、図２を用いて、実施形態にかかる監視装置１００について説明する。図２は、実施形態にかかる監視装置１００の構成例を示す図である。図２に示すように、監視装置１００は、通信部１１０と、機器情報記憶部１２０と、制御部１３０とを有する。
【００５５】
（通信部１１０について）
通信部１１０は、例えば、ＮＩＣ（Network  Interface  Card）等によって実現される。そして、通信部１１０は、ネットワークと有線または無線で接続され、例えば、ウェアラブルグラス等の各種端末装置との間で情報の送受信を行う。
【００５６】
（機器情報記憶部１２０について）
機器情報記憶部１２０は、例えば、ＲＡＭ（Random  Access  Memory)、フラッシュメモリ等の半導体メモリ素子またはハードディスク、光ディスク等の記憶装置によって実現される。機器情報記憶部１２０は、どのバトンのどの位置にどの照明機器１０を設置するかといったことがあらかじめ設定された図面である仕込み図を数値化および記号化した仕込み図データを記憶する。
【００５７】
ここで、図３に実施形態にかかる機器情報記憶部１２０の一例を示す。図３の例では、機器情報記憶部１２０は、「バトンＩＤ」、「ノードＩＤ」、「ポートＩＤ」、「ポート位置」、「照明機器ＩＤ」、「機器種別」、「詳細情報」といった項目を有する。
【００５８】
「バトンＩＤ」は、バトンを識別するための識別情報を示す。「ノードＩＤ」は、対応する「バトンＩＤ」によって識別されるバトンに設置されるノードを識別するための識別情報を示す。「ポートＩＤ」は、対応する「バトンＩＤ」によって識別されるノードが有するポートを識別するための識別情報を示す。
【００５９】
「ポート位置」は、対応する「ポートＩＤ」によって識別されるポートの設置位置であって対応する「バトンＩＤ」によって識別されるバトンにおける設置位置を示す。なお、このような設置位置は、バトンに対する照明機器１０の設置位置と解せるものである。図１で説明した通り、「ポート位置」は、例えば、左右に基づく位置方向や座標によって示される。「照明機器ＩＤ」は、対応する「ポートＩＤ」によって識別されるポートに接続される照明機器１０を示す識別情報である。
【００６０】
「機器種別」は、対応する「ポートＩＤ」によって識別されるポートに接続される照明機器１０として、どのような照明機器１０を接続させるかその照明機器１０の種別を示す。「詳細情報」は、照明機器１０固有の情報、例えば、通電時間、点灯時間、故障情報等の照明機器１０のこれまでの使用状況、照明の輝度、色温度、消費電力または各種運転モードに関する設定情報等の現在の制御内容、定格電力や出力可能な光束、色温度等の機器情報を示す。
【００６１】
すなわち、図３の例では、バトンＬ−１には、ノード２０−１が設置されており、ノード２０−１は、ポート２０ａ〜２０ｄを有することを示す。また、仕込み図において、バトンＬ−１にスポットライトである照明機器１０ａ〜１０ｄを、ポート２０ａ〜２０ｄに接続させることが設定されている例を示す。また、バトンＬ−１におけるポート２０ａ〜２０ｄの位置が、位置Ｐ１１〜Ｐ１４である例を示す。
【００６２】
（制御部１３０について）
図２に戻り、制御部１３０は、ＣＰＵ（Central  Processing  Unit）やＭＰＵ（Micro  Processing  Unit）等によって、監視装置１００内部の記憶装置に記憶されている各種プログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００６３】
図２に示すように、制御部１３０は、受信部１３１と、解析部１３２と、比較部１３３と、表示制御部１３４とを有し、以下に説明する情報処理の機能や作用を実現または実行する。なお、制御部１３０の内部構成は、図２に示した構成に限られず、後述する情報処理を行う構成であれば他の構成であってもよい。また、制御部１３０が有する各処理部の接続関係は、図２に示した接続関係に限られず、他の接続関係であってもよい。
【００６４】
（受信部１３１について）
受信部１３１は、作業員等のユーザによって利用される端末装置（図１の例では、ウェアラブルグラスＧＬ）から、当該端末装置によって撮影された撮影画像を受け付ける。図１で説明したように、作業員は、バトンに照明機器１０を設置する作業を行うにあたって、かかる端末装置を用いて作業対象のバトンを撮影する。また、作業対象のバトンに既に照明機器１０が設置されている場合には、作業員は、かかる照明機器１０も含めて作業対象のバトンを撮影する。したがって、受信部１３１は、バトンや照明機器１０が撮影された撮影画像を、当該撮影画像を撮影した端末装置から受け付ける。
【００６５】
また、受信部１３１は、ＲＤＭ規格に対応する照明機器１０が、ＲＤＭノード２０のポートに接続された場合には、かかるＲＤＭノード２０からバトンＩＤと、照明機器ＩＤと、ポートＩＤと、ノードＩＤと、照明機器情報（輝度等）も受信してよい。
【００６６】
（解析部１３２について）
解析部１３２は、受信部１３１によって撮影された撮影画像の画像解析を行い、かかる撮影画像に含まれる装置について、当該装置に関する情報を特定する。例えば、解析部１３２は、撮影画像にバトンが含まれる場合には、かかるバトンに記載の当該バトンの識別情報を特定する。また、解析部１３２は、撮影画像に照明機器１０が含まれる場合には、当該照明機器１０が接続されるポートの位置情報を特定してもよい。例えば、解析部１３２は、バトンと照明機器１０との位置関係からどの照明機器１０がどの位置にあるポートに接続されているかといったことを特定する。
【００６７】
また、解析部１３２は、画像解析によりバトンに設置されている照明機器１０の種類や方向を特定してもよい。また、各照明機器１０には、当該照明機器１０の固有情報等を含む二次元コード（ＱＲコード）が添付される場合がある。かかる場合、解析部１３２は、このＱＲコードを読み取ることにより、例えば、照明機器１０の照明機器ＩＤを特定する。
【００６８】
（比較部１３３について）
比較部１３３は、受信部１３１によって受け付けられた撮影画像に基づく照明機器１０に関する情報と、予め設定された照明機器１０に関する情報とを比較する。例えば、比較部１３３は、解析部１３２により特定された位置情報であって照明機器１０に関する位置情報と、予め設定された照明機器１０に関する情報とを比較する。予め設定された照明機器１０に関する情報とは、例えば、機器情報記憶部１２０に記憶される仕込み図データである。
【００６９】
また、比較部１３３は、解析部１３２により照明機器１０の種類が特定された場合には、特定された照明機器１０の種類と、仕込み図データにおいて予め設定される照明機器１０の種類とを比較する。また、仕込み図データにおいて予め照明機器１０の設置方向が設定されている場合もある。かかる場合、比較部１３３は、解析部１３２により特定された照明機器１０の設置方向と、仕込み図データにおける照明機器１０の設置方向とを比較する。
【００７０】
そして、比較部１３３は、上記のような比較処理により、撮影画像に基づく照明機器１０に関する情報と、予め設定された照明機器１０に関する情報との不一致を特定する。例えば、比較部１３３は、解析部１３２により特定された位置情報であって照明機器１０に関する位置情報のうち、仕込み図データにおける照明機器１０の位置情報に一致しない位置情報を特定する。照明機器１０の種類や設置方向についても同様に、比較部１３３は、仕込み図データに対する不一致を特定する。
【００７１】
（表示制御部１３４について）
表示制御部１３４は、比較結果として、予め設定された照明機器１０に関する情報に対して一致しない旨を示すコンテンツを表示させる。具体的には、表示制御部１３４は、比較部１３３による比較によって得られた比較結果を撮影画像送信元の端末装置に表示させる。さらに具体的には、表示制御部１３４は、比較部１３３による比較によって得られた比較結果に基づいて、コンテンツとしてアニメーション画像を生成する。例えば、表示制御部１３４は、作業者が端末装置を介して比較部１３３による比較結果を認識できるようなアニメーション画像を生成する。
【００７２】
一例を示すと、表示制御部１３４は、作業員が端末装置を介して現実に目視しているバトンおよび照明機器１０に対して、設置に誤りのある照明機器１０を認識させるようなアニメーション画像、あるいは、仕込み図データにおいて決められているポートに対象の照明機器１０を接続するよう指示するようなアニメーション画像を生成する。
【００７３】
そして、表示制御部１３４は、作業員が端末装置を介して現実に目視しているバトンおよび照明機器１０に対して、例えば、生成したアニメーション画像が重畳されて表示されるよう端末装置に送信する。
【００７４】
また、ＲＤＭ規格対応の照明機器１０がバトンに設置される場合には、受信部１３１によって各種識別情報が受信されることを利用して、表示制御部１３４は、ポートそれぞれに対する照明機器１０それぞれの設置位置を表示させてもよい。具体的には、表示制御部１３４は、どの照明機器１０をどのポートに接続させるかといった詳細な情報を例えば識別情報を用いて上記アニメーション画像とともに表示させる。
【００７５】
さて、以下では、監視装置１００による表示制御処理の一例について図４を用いて説明する。図４は、実施形態にかかる監視装置１００によって行われる表示制御処理の一例を示す図である。なお、図４を用いた説明は、図１をより詳細にするものであるため、図１において説明済みの内容については省略する。
【００７６】
まず、ウェアラブルグラスＧＬは、作業員の操作に従って、バトンＬ−１に設置される照明機器１０ａ、１０ｂ、１０ｄが全て入るように、バトンＬ−１全体を撮影したとする。このようにして撮影されたものが撮影画像Ｇ１である。そして、ウェアラブルグラスＧＬは、撮影画像Ｇ１を監視装置１００に送信する。
【００７７】
監視装置１００の解析部１３２は、受信部１３１によって撮影画像Ｇ１が受信されると、受信された撮影画像Ｇ１の画像解析を行う。例えば、解析部１３２は、画像解析により図４に示すような解析結果Ｒ１を得る。具体的には、解析部１３２は、バトンＬ−１における位置Ｐ１１、位置Ｐ１２および位置Ｐ１４にあるポートそれぞれに照明機器１０としてスポットライトが設置されていることを特定する。なお、例えば、照明機器１０それぞれに当該照明機器１０の識別情報（例えば、ＱＲコード等）が付されている場合には、解析部１３２は、画像解析によりそのＱＲコードから特定した照明機器ＩＤも解析結果Ｒ１に含めることができる。
【００７８】
ここで、バトンＬ−１には、ＲＤＭ規格対応のスポットライトを設置することが予め決められているものとする。また、位置Ｐ１１、位置Ｐ１２および位置Ｐ１４にあるポートに現在接続されている照明機器１０もＲＤＭ規格対応のスポットライトであるものとする。このように対象となる照明機器１０がＲＤＭ規格対応である場合には、監視装置１００は、これまで説明してきたようにアニメーション画像を表示されるだけでなく、照明機器１０に関するより詳細な情報も表示させることができる。つまり、表示制御部１３４は、バトンとともに撮影された照明機器１０から受信された情報（例えば、各種ＩＤ、設定モード）に基づいて、バトンに対して設置させる照明機器１０に関する詳細情報を表示させる。
【００７９】
例えば、比較部１３３は、比較処理を行う前段階として、ＲＤＭと連携することにより解析部１３２により得られた解析結果Ｒ１に対してより詳細な情報を追加する。例えば、比較部１３３は、図４に示すように解析結果Ｒ１に対して「ポートＩＤ」および「照明機器ＩＤ」を対応付ける。つまり、比較部１３３は、照明機器１０がＲＤＭ規格対応であることにより受信部１３１によって受信された「ポートＩＤ」および「照明機器ＩＤ」を、図３に示す機器情報記憶部１２０に基づいて対応付ける。
【００８０】
例えば、比較部１３３は、受信部１３１によってポート２０ａに照明機器１０ｂが接続されている旨の情報が受け付けられたことにより、機器情報記憶部１２０を参照しポート２０ａは位置Ｐ１１に対応するポートであることを特定する。そして、比較部１３３は、ポートＩＤ「２０ａ」とポート位置「Ｐ１１」と照明機器IＤ「１０ｂ」とが対応付くように解析結果Ｒ１に対してこれらの情報を追加する。このように、比較部１３３により解析結果Ｒ１に対して詳細な情報が追加されたものが、図４に示す解析結果Ｒ２である。
【００８１】
そして、比較部１３３は、この解析結果Ｒ２と、機器情報記憶部１２０に記憶される仕込み図データとを比較することにより両者での不一致を特定する。
【００８２】
仕込み図データでは、位置Ｐ１１にあるポート２０ａに照明機器１０ａを接続させることが予め設定されている。また、仕込み図データでは、位置Ｐ１２にあるポート２０ｂに照明機器１０ｂを接続させることが予め設定されている。しかしながら、解析結果Ｒ２によると、現状、ポート２０ａに照明機器１０ｂが接続され、ポート２０ｂに照明機器１０ａが接続されている。したがって、比較部１３３は、照明機器１０ａおよび１０ｂの接続が誤っていることを特定する。
【００８３】
また、仕込み図データでは、位置Ｐ１３にあるポート２０ｃに照明機器１０ｃを接続させることが予め設定されている。しかしながら、解析結果Ｒ２によると、現状、ポート２０ｃへの接続が無い。したがって、比較部１３３は、ポート２０ｃに照明機器１０ｃが接続されていないことを特定する。
【００８４】
そして、表示制御部１３４は、上記のように比較部１３３によって得られた比較結果に基づいてアニメーション画像を生成し、生成したアニメーション画像をウェアラブルグラスＧＬに表示させる。例えば、表示制御部１３４は、ポートぞれぞれに接続させる照明機器１０に関する情報を表示させる。具体的には、表示制御部１３４は、どのポートにどの特定の照明機器１０を接続させるのかがわかるように、例えば、接続が誤っている照明機器１０ａおよび１０ｂの隣に、本来接続させるべき正しい照明機器１０に関する情報（例えば、照明機器ＩＤ）を表示させる。さらに、接続が誤っている旨のコメントや絵図を表示してもよい。
【００８５】
また、表示制御部１３４は、図４に示すように、機器種別、モードおよび照明角度等も表示させてもよい。機器種別、モードおよび照明角度は、仕込み図において予め設定されている情報である。
【００８６】
また、表示制御部１３４は、比較部１３３により位置Ｐ１３にあるポート２０ｃに照明機器１０ｃが接続されていないことが特定されたことにより、ポート２０ｃへ照明機器１０ｃを接続するよう認識させるアニメーション画像Ｇ２を生成する。そして、表示制御部１３４は、生成したアニメーション画像Ｇ２をウェアラブルグラスＧＬに表示させる。
【００８７】
これにより、仕込み図において特定のポートに対して特定のＩＤに対応する照明機器１０を接続させるといった細かな設定がなされている場合であっても、作業員は、仕込み図を何度も確認することなく、ウェアラブルグラスを介してこのような設定を作業を行いながらでも容易に視認することができる。したがって、監視装置１００は、作業効率を高めることができる。
【００８８】
なお、図４では、バトンＬ−１に対して正しく設置されている照明機器１０、具体的には、ポート２０ｄへ接続される照明機器１０についてはアニメーション表示がされていない例を示す。しかし、表示制御部１３４は、このように正しく設置されている場合であっても、作業員が設置態様を再確認できるように、例えば、機器種別、照明機器ＩＤ、モードおよび角度等を表示させてもよい。
【００８９】
また、図４の例では、解析結果Ｒ１において、各ポート位置に設置される照明機器ＩＤについては表示がないが、画像解析によって各ポート位置に設置される照明機器１０の照明機器ＩＤを合わせて対応付けるようにしてもよい。この場合、監視装置１００は、解析結果Ｒ２を得る処理において、ＲＤＭで取得したポート位置と照明機器ＩＤとの対応関係と、解析結果Ｒ１におけるポート位置と照明機器ＩＤとの対応関係とに不一致があることを特定することができる。つまり、機器情報記憶部１２０において各照明機器１０に対応する照明機器ＩＤを記憶している場合には、監視装置１００は、ポートＩＤと照明機器ＩＤが仕込み図通りに正しく接続されているが照明機器１０の設置位置を間違えていることを特定することができ、その旨を表示させることができる。
【００９０】
〔表示制御処理フロー〕
次に、図５を用いて、実施形態にかかる照明システム１による処理の手順について説明する。図５は、実施形態にかかる監視装置１００を含む照明システム１による表示制御処理手順を示すシーケンス図である。
【００９１】
まず、監視装置１００の受信部１３１は、端末装置（ウェアラブルグラスＧＬ等の表示端末）から撮影画像を受信したか否かを判定する（ステップＳ１０１）。解析部１３２は、撮影画像を受信したと判定された場合には（ステップＳ１０１；Ｙｅｓ）、受信された撮影画像の画像解析を行う（ステップＳ１０２）。一方、受信部１３１は、撮影画像を受信していないと判定した場合には（ステップＳ１０１；Ｎｏ）、受信するまで待機する。
【００９２】
次に、比較部１３３は、画像解析によって解析結果が得られた場合に、撮影画像に含まれるＲＤＭノード２０から送信された情報であって、当該ＲＤＭノード２０が有するポートに接続される照明機器１０に関する情報が受信されたか否かを判定する（ステップＳ１０３）。例えば、比較部１３３は、かかる照明機器１０がＲＤＭ規格対応である場合には、撮影画像に含まれるＲＤＭノード２０から送信されたバトンＩＤ、ノードＩＤ、ポートＩＤ、照明機器ＩＤが受信部１３１によって受信されたか否かを判定する。
【００９３】
比較部１３３は、照明機器１０に関する情報としてバトンＩＤ、ノードＩＤ、ポートＩＤ、照明機器ＩＤが受信された場合には（ステップＳ１０３；Ｙｅｓ）、これら受信された識別情報を解析結果に対応付ける（ステップＳ１０４）。次に、比較部１３３は、ステップＳ１０４処理後の解析結果と、機器情報記憶部１２０に記憶される仕込み図データとを比較する（ステップＳ１０５）。
【００９４】
そして、表示制御部１３４は、比較部１３３によって得られた比較結果に基づいて、アニメーション画像を生成する（ステップＳ１０６）。そして、表示制御部１３４は、生成したアニメーション画像が撮影画像送信元の端末装置によって表示されるよう送信する（ステップＳ１０７）。
【００９５】
なお、比較部１３３は、照明機器１０に関する情報としてバトンＩＤ、ノードＩＤ、ポートＩＤ、照明機器ＩＤが受信されない場合（ステップＳ１０３；Ｎｏ）、すなわち照明機器１０がＲＤＭ規格対応でない場合には、解析部１３２によって得られた解析結果と、機器情報記憶部１２０に記憶される仕込み図データとを比較する（ステップＳ１０５）。
【００９６】
〔画像解析および比較処理のバリエーション〕
図１の例では、解析部１３２が、画像解析によりどの位置にあるポートに照明機器１０が接続されているかを特定する例を示した。すなわち、解析部１３２が、画像解析によりバトンにおける照明機器１０の設置位置をポートの位置を用いて特定する例を示した。しかし、解析部１３２は、画像解析により照明機器１０とポートとが接続されるケーブルの接続態様を特定し、比較部１３２は、特定された接続態様と仕込み図データとを比較して、ケーブル接続の不一致を検出してもよい。すなわち、比較部１３２は、照明機器１０とポート間のケーブル接続に誤りが無いか否かを判定してもよい。
【００９７】
かかる場合、仕込み図データには、どの設置位置にある照明機器１０をどのポートに接続させるかが予め指定される。例えば、図１の例を用いて、仕込み図データおいて、位置Ｐ１１にある照明機器１０を位置Ｐ１１に対応するポートであるポート２０ａに接続し、位置Ｐ１２にある照明機器１０を位置Ｐ１２に対応するポートであるポート２０ｂに接続させるよう予め指定されているとする。
【００９８】
ここで、解析部１３２は、撮影画像を解析することにより位置Ｐ１１にある照明機器１０は位置Ｐ１２に対応するポート（ポート２０ｂ）に接続され、位置Ｐ１２にある照明機器１０は位置Ｐ１１に対応するポート（ポート２０ａ）に接続されていることを特定したとする。つまり、解析部１３２は、ケーブルが交差していることを特定したとする。
【００９９】
かかる場合、比較部１３２は、上記のように解析部１３２によって特定された解析結果と、仕込み図データとを比較し、位置Ｐ１１にある照明機器１０を位置Ｐ１１に対応するポート（ポート２０ａ）に接続させなければならないところを、位置１２にある照明機器１０が位置Ｐ１１に対応するポート（ポート２０ａ）に接続されており、ケーブルの接続が誤っていると判定する。
【０１００】
また、比較部１３２は、位置Ｐ１２にある照明機器１０を位置Ｐ１２に対応するポート（ポート２０ｂ）に接続させなければならないところを、位置Ｐ１１にある照明機器１０が位置Ｐ１２に対応するポート（ポート２０ｂ）に接続されており、ケーブルの接続が誤っていると判定する。これにより、表示制御部１３４は、ケーブル接続が間違っており、正しい接続を指示するアニメーション画像を生成し、ウェアラブルグラスＧＬに表示させる。
【０１０１】
上記のようにケーブル接続に誤りがあると、各照明機器１０に本来付与すべきＤＭＸアドレスにも誤りが生じてしまうが、実施形態にかかる監視装置１００は、このような誤りが生じることを防止することができる。
【０１０２】
〔表示制御処理のバリエーション〕
上記実施形態では、図３に示すように各バトンにおいて全てのポートに照明機器１０を接続することが予め決められている例を示した。しかし、バトンにおいては、特定のポートには、照明機器１０を接続させないといったルールが決められている場合がある。このようなルールも仕込み図において予め設定されている。
【０１０３】
かかる場合、比較部１３３は、撮影画像に基づく照明機器に関する情報であると、仕込み図データとの比較により、バトンに対して照明機器１０が仕込み図データに示される所定のルールに従って設置されているか否かを判定する。そして、表示制御部１３４は、所定のルールに従って設置されていないと判定された場合には、所定のルールに対応する正しい設置態様をアニメ―ション表示させる。
【０１０４】
この点について図１を用いて説明する。ウェアラブルグラスＧＬによって撮影された撮影画像Ｇ１では、バトンＬ−１における位置Ｐ１１、位置Ｐ１２および位置Ｐ１４に照明機器１０が設置されている。ここで、図示しないが仕込み図データでは、位置Ｐ１４には照明機器１０を設置しないことがルールとして予め決められているものとする。
【０１０５】
かかる場合、比較部１３３は、撮影画像Ｇ１が解析された解析結果と、仕込み図データとの比較によって、このルールに従って照明機器１０が設置されていないことを特定する。具体的には、比較部１３３は、本来設置してはいけない位置Ｐ１４に照明機器１０が設置されていることを特定し、このような特定結果を表示制御部１３４に出力する。
【０１０６】
表示制御部１３４は、比較部１３３からの出力を受けて、アニメーション画像を生成する。例えば、表示制御部１３４は、位置Ｐ１４に接続してはいけない旨を警告する警告情報をアニメーション画像として生成する。そして、表示制御部１３４は、作成したアニメーション画像が表示されるようウェアラブルグラスＧＬに送信する。
【０１０７】
〔その他〕
上記実施形態では、カメラ機能を有する端末装置といったように、カメラと端末本体とが一体化されている例を示した。しかし、カメラ装置がノートパソコンやタブレット装置に対して外部接続されているといったように、カメラは端末本体から独立したものであってもよい。例えば、カメラ装置は、スタジオ等に設置された監視カメラや、上述した各種処理を実行するために固定で設置されたものであってもよい。
【０１０８】
また、上記実施形態では、解析部１３２が、バトンに記載された識別情報によりバトンを特定する例を示した。しかし、解析部１３２は、バトンの形状に基づいてバトンを特定してもよい。また、表示制御部１３４は、比較結果をアニメーション画像として表示するのではなく、比較結果を表示するにあたってその他の任意の手法を採用することができる。また、照明機器１０は、双方向通信が可能なものであれば、ＲＤＭ規格対応に限定されるものではない。
【０１０９】
なお、上述した監視装置１００は、ＣＰＵ（Central  Processing  Unit）とＲＡＭ（Random  Access  Memory）、ＥＥＰＲＯＭ（Electrically  Erasable  Programmable  Read-Only  Memory）、フラッシュメモリなどを有するコンピュータが、所定の記録媒体に登録された制御プログラムを読み取り、読み取った制御プログラムを実行することにより、実現されてもよい。また、監視装置１００は制御卓４０内に設定することで、制御監視卓として１つの装置としても良い。
【０１１０】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【符号の説明】
【０１１１】
１  照明システム
１０  照明機器
２０  ＲＤＭノード
３０  ハブ
４０  制御卓
１００  監視装置
１２０  機器情報記憶部
１３１  受信部
１３２  解析部
１３３  比較部
１３４  表示制御部
【図１】
2018055848.tif 000003
【図２】
2018055848.tif 000004
【図３】
2018055848.tif 000005
【図４】
2018055848.tif 000006
【図５】
2018055848.tif 000007